(57)【要約】【課題】  サービス不可状態をなくす、もしくは軽減させることが可能な携帯電話装置を提供する。【解決手段】  移動機は、ステップＳ１にてある任意のＰＬＭＮへの位置登録が正常に完了し、待ち受け状態にある場合、ステップＳ２にてその状態でサービス発生時、ステップＳ３，Ｓ５にて移動通信網から何らかの理由によって正常にサービスを提供されなかったことを検出すると、ステップＳ７，Ｓ８にて移動機側において周辺のＰＬＭＮ検索を自動で行い、ある任意のＰＬＭＮに切替え、ユーザに対してサービスを提供可能にする。【選択図】      図２
2008109323.tif 000002
【特許請求の範囲】
【請求項１】
ＰＬＭＮ（Ｐｕｂｌｉｃ  Ｌａｎｄ  Ｍｏｂｉｌｅ  Ｎｅｔｗｏｒｋ）にて位置登録して待ち受け状態に移行する携帯電話装置であって、
前記待ち受け状態である場合に特定サービスにおいて移動通信網から特定のサービス不可メッセージを受けるとローミングサービス契約外及び仕様不整合による継続的なサービス授受不可と判断する第１の手段と、前記継続的なサービス授受不可と判断した時に前記ＰＬＭＮの検索を実行して検出したＰＬＭＮのいずれかへの切替えを行う第２の手段とを有することを特徴とする携帯電話装置。
【請求項２】
前記第２の手段は、ユーザに対して特定サービスの継続実施希望確認を行い、その結果、継続希望が選択された時に前記ＰＬＭＮの検索を実行して検出したＰＬＭＮのいずれかへの切替えを行うことを特徴とする請求項１記載の携帯電話装置。
【請求項３】
前記ＰＬＭＮの検索にて前記ＰＬＭＮを検出できない場合に前記ＰＬＭＮの検索を行う前に位置登録している元のＰＬＭＮにて待ち受け状態とすることを特徴とする請求項１または請求項２記載の携帯電話装置。
【請求項４】
切替えたＰＬＭＮにて前記待ち受け状態に移行できない場合に前記ＰＬＭＮの検索にて検出した他のＰＬＭＮへの切替えを実行し、検出した他のＰＬＭＮすべてで前記待ち受け状態への移行に失敗した時に、前記ＰＬＭＮの検索を行う前に位置登録している元のＰＬＭＮにて待ち受け状態とすることを特徴とする請求項１または請求項２記載の携帯電話装置。
【請求項５】
前記ＰＬＭＮにて前記待ち受け状態にある場合、前記特定サービスにおいて前記移動通信網からメッセージを受けずに失敗した時に仕様及び機能不整合による接続不可、前記携帯電話装置及び前記移動通信網にて障害が発生しているものと判断することを特徴とする請求項１と請求項３と請求項４とのいずれか記載の携帯電話装置。
【請求項６】
前記特定サービスにおける連続接続不可が予め設定された所定数発生した場合に前記接続不可及び前記障害の発生と判断し、前記ＰＬＭＮの検索及び切替えを実行することを特徴とする請求項５記載の携帯電話装置。
【請求項７】
前記特定サービスにおける過去成功率を計算し、予め設定された成功率以下の時に前記移動通信網の不安定と判断し、前記ＰＬＭＮの検索及び切替えを実行することを特徴とする請求項５記載の携帯電話装置。
【請求項８】
ローミング環境下にあることを特徴とする請求項１から請求項７のいずれか記載の携帯電話装置。
【請求項９】
主契約のＰＬＭＮであるＨｏｍｅ  ＰＬＭＮ環境下において前記継続的なサービス授受不可と判断した時に前記ＰＬＭＮの検索及び切替えを実行することを特徴とする請求項１から請求項７のいずれか記載の携帯電話装置。
【請求項１０】
前記特定サービスにて前記ＰＬＭＮの切替えを行ってサービス提供を受け、当該サービスの終了後に前記ＰＬＭＮの切替え前のＰＬＭＮへの切替えを行うことを特徴とする請求項１から請求項９のいずれか記載の携帯電話装置。
【請求項１１】
過去のＰＬＭＮの切替え履歴に応じて前記特定サービスの開始前に前記ＰＬＭＮの切替えを実行し、当該ＰＬＭＮへの切替え完了後に前記サービスを開始することを特徴とする請求項１から請求項９のいずれか記載の携帯電話装置。
【請求項１２】
優先するＰＬＭＮが予め指定されている時に、前記特定サービスの開始前に切替えられたＰＬＭＮを、当該サービスの終了後に前記優先するＰＬＭＮに切替えることを特徴とする請求項１１記載の携帯電話装置。
【請求項１３】
待ち受け状態で前記サービス授受が全て不可の場合、前記待ち受け状態にあるＰＬＭＮをＦｏｒｂｉｄｄｅｎ  ＰＬＭＮとして保持し、以後、前記位置登録及び前記待ち受けの実行を抑止することを特徴とする請求項１から請求項１２のいずれか記載の携帯電話装置。
【請求項１４】
前記待ち受け状態の時に異常を繰り返す場合に、前記待ち受け状態にあるＰＬＭＮをＦｏｒｂｉｄｄｅｎ  ＰＬＭＮとして保持し、以後、前記位置登録及び前記待ち受けの実行を抑止することを特徴とする請求項１から請求項１３のいずれか記載の携帯電話装置。
【請求項１５】
請求項１から請求項１４のいずれかに記載の携帯電話装置を有することを特徴とする移動通信システム。
【請求項１６】
携帯電話装置が、請求項１から請求項１４のいずれかに記載した動作を実行することを特徴とするＰＬＭＮ自動切替方法。
【発明の詳細な説明】
【技術分野】
【０００１】
本発明は携帯電話装置、移動通信システム及びそれらに用いるＰＬＭＮ自動切替方法に関し、特にローミング先のＰＬＭＮ（Ｐｕｂｌｉｃ  Ｌａｎｄ  Ｍｏｂｉｌｅ  Ｎｅｔｗｏｒｋ：公衆地上移動通信網）で位置登録が失敗した場合に、他のＰＬＭＮの検索を行って待ち受け（Ｎｏｒｍａｌ  Ｃａｍｐ  Ｏｎ）状態に移行する方法に関する。
【背景技術】
【０００２】
従来、携帯電話装置においては、ローミング先のＰＬＭＮで位置登録が失敗した場合、他のＰＬＭＮの検索を行い、待ち受け（Ｎｏｒｍａｌ  Ｃａｍｐ  Ｏｎ）状態に移行している。ここで、ＰＬＭＮとは、一般電話回線網等の固定網に対し、地上移動通信サービスの提供を目的とした、無線回線を含む移動通信専用ネットワークのことである。
【０００３】
この従来の携帯電話装置（ＵＥ：Ｕｓｅｒ  Ｅｑｕｉｐｍｅｎｔ）におけるローミング先でのサービス授受処理を図５に示す。図５において、携帯電話装置はある任意のＰＬＭＮに正常に位置登録が完了すると、待ち受け（Ｎｏｒｍａｌ  Ｃａｍｐ  Ｏｎ）状態にある（図５ステップＳ１１）。
【０００４】
携帯電話装置はその状態で、サービス［例えば、音声（Ｖｏｉｃｅ）、ビデオ（Ｖｉｄｅｏ）、ブラウザ（Ｂｒｏｗｓｅｒ）等］の発生時に（図５ステップＳ１２）、移動通信網（ＮＷ：Ｎｅｔｗｏｒｋ）から何らかの理由によって正常にサービスを提供されなかった場合（図５ステップＳ１３でＮＯ）、ステップＳ１１に戻って待ち受け状態となる。正常にサービスが提供された場合（図５ステップＳ１３でＹＥＳ）、サービスの提供の後に終話となる（図５ステップＳ１４）。
【０００５】
尚、従来の無線通信システムとしては、現在、端末装置が接続する無線ＬＡＮ（Ｌｏｃａｌ  Ａｒｅａ  Ｎｅｔｗｏｒｋ）の受信レベルが悪化した時に、受信レベルが良好の無線ＬＡＮに接続する方法が提案されている（例えば、特許文献１参照）。
【特許文献１】特開２００４−１７９７６１号公報
【発明の開示】
【発明が解決しようとする課題】
【０００６】
しかしながら、従来の携帯電話装置では、ローミング先のＰＬＭＮで位置登録が正常に完了し、正常に待ち受け状態にある場合、一部、もしくは全部のサービスの授受が不可能な状態であっても、当該ＰＬＭＮにおいて待ち受け状態を継続し続けてサービス授受が不可能になるという問題がある。
【０００７】
もしくは、従来の携帯電話装置では、そのサービス提供を受けるために、ユーザ操作によってＰＬＭＮ検索（Ｍａｎｕａｌ  ＰＬＭＮ  Ｓｅａｒｃｈ）を実行し、ＰＬＭＮ選択を行ってＰＬＭＮ切替えを行う必要がある上、元のＰＬＭＮに戻る場合、再度ユーザ操作によってＰＬＭＮ検索を行って、元のＰＬＭＮを選択して移行させる必要がある。これらの問題は、上記の特許文献１記載の技術でも解決することができない。
【０００８】
そこで、本発明の目的は上記の問題点を解消し、サービス不可状態をなくす、もしくは軽減させることができる携帯電話装置、移動通信システム及びそれらに用いるＰＬＭＮ自動切替方法を提供することにある。
【課題を解決するための手段】
【０００９】
本発明による携帯電話装置は、ＰＬＭＮ（Ｐｕｂｌｉｃ  Ｌａｎｄ  Ｍｏｂｉｌｅ  Ｎｅｔｗｏｒｋ）にて位置登録して待ち受け状態に移行する携帯電話装置であって、
前記待ち受け状態である場合に特定サービスにおいて移動通信網から特定のサービス不可メッセージを受けるとローミングサービス契約外及び仕様不整合による継続的なサービス授受不可と判断する第１の手段と、前記継続的なサービス授受不可と判断した時に前記ＰＬＭＮの検索を実行して検出したＰＬＭＮのいずれかへの切替えを行う第２の手段とを備えている。
【００１０】
本発明による移動通信システムは、上記記載の携帯電話装置を備えている。
【００１１】
本発明によるＰＬＭＮ自動切替方法は、携帯電話装置が上記の動作を実行している。
【００１２】
すなわち、本発明の移動通信システムは、ローミングサービス［任意のＰＬＭＮ（Ｐｕｂｌｉｃ  Ｌａｎｄ  Ｍｏｂｉｌｅ  Ｎｅｔｗｏｒｋ）選択］可能な３ＧＰＰ（３ｒｄ  Ｇｅｎｅｒａｔｉｏｎ  Ｐａｒｔｎｅｒｓｈｉｐ  Ｐｒｏｊｅｃｔ）仕様の携帯電話装置（ＵＥ：Ｕｓｅｒ  Ｅｑｕｉｐｍｅｎｔ）において、ある任意のＰＬＭＮでサービス［例えば、音声（Ｖｏｉｃｅ）、ビデオ（Ｖｉｄｅｏ）、ブラウザ（Ｂｒｏｗｓｅｒ）等］が正常に提供されない場合に、携帯電話装置側において周辺のサービス提供可能なＰＬＭＮ検索を自動で行い、そのＰＬＭＮに自動で切替えて使用者にサービス提供を可能にすることを特徴としている。
【００１３】
より具体的に説明すると、本発明の移動通信システムでは、携帯電話装置がある任意のＰＬＭＮへの位置登録が正常に完了し、待ち受け（Ｎｏｒｍａｌ  Ｃａｍｐ  Ｏｎ）状態にある場合、その状態でサービス［例えば、音声（Ｖｏｉｃｅ）、ビデオ（Ｖｉｄｅｏ）、ブラウザ（Ｂｒｏｗｓｅｒ）等］発生時に移動通信網（ＮＷ：Ｎｅｔｗｏｒｋ）から何らかの理由によってサービスが正常に提供されなかった場合、携帯電話装置側において周辺のＰＬＭＮ検索を自動で行い、ある任意のＰＬＭＮに自動で切替えることで、ユーザに対してサービスを提供可能にしている。サービスが正常に提供されなかった場合とは、例えばオペレータ間でローミングサービス契約外による該当サービスがＲｅｊｅｃｔされた場合に、または移動通信網側の特別・特殊な仕様によって携帯電話装置側の仕様との不整合（３ＧＰＰ仕様におけるＶｅｒｓｉｏｎ差分等も含む）による接続不可、もしくは携帯電話装置側の問題や移動通信網側の問題によってユーザが意図するサービスを長期間及び一時的に受けられない状態に陥った場合等である。
【００１４】
これによって、本発明の移動通信システムでは、携帯電話装置がある任意のＰＬＭＮにて待ち受け（Ｎｏｒｍａｌ  Ｃａｍｐ  Ｏｎ）状態である場合、そのＰＬＭＮにて一部または全部のサービス授受不可状態を検出し、自動でサービス授受可能とするように、ＰＬＭＮ検索及び検索されたＰＬＭＮへの切替えを行うことで、サービス不可状態をなくす、もしくは軽減させることが可能となる。さらに、本発明の移動通信システムでは、ユーザのＰＬＭＮの切替え操作も不要となり、利便性が向上する。
【発明の効果】
【００１５】
本発明は、上記のような構成及び動作とすることで、サービス不可状態をなくす、もしくは軽減させることができるという効果が得られる。
【発明を実施するための最良の形態】
【００１６】
次に、本発明の実施例について図面を参照して説明する。図１は本発明の一実施例による携帯電話装置［ＵＥ（Ｕｓｅｒ  Ｅｑｕｉｐｍｅｎｔ：移動機）］の構成を示すブロック図である。図１において、移動機（ＵＥ）１はアンテナ１１と、無線部１２と、ＢＢ（Ｂａｓｅ  Ｂａｎｄ：ベースバンド）部１３と、制御処理部１４と、表示部１５と、操作部１６とから構成されている。
【００１７】
図２は本発明の一実施例による携帯電話装置の動作を示すフローチャートである。これら図１及び図２を参照して本発明の一実施例による携帯電話装置の動作について説明する。
【００１８】
移動機１はある任意のＰＬＭＮ（Ｐｕｂｌｉｃ  Ｌａｎｄ  Ｍｏｂｉｌｅ  Ｎｅｔｗｏｒｋ）への位置登録が正常に完了し、待ち受け（Ｎｏｒｍａｌ  Ｃａｍｐ  Ｏｎ）状態にある場合（図２ステップＳ１）、その状態でサービス［例えば、音声（Ｖｏｉｃｅ）、ビデオ（Ｖｉｄｅｏ）、ブラウザ（Ｂｒｏｗｓｅｒ）等］発生時に（図２ステップＳ２）、移動通信網（ＮＷ：Ｎｅｔｗｏｒｋ）（図示せず）から何らかの理由によって正常にサービスを提供されなかった場合（図２ステップＳ３，Ｓ５）、移動機１側において周辺のＰＬＭＮ検索を自動で行い、ある任意のＰＬＭＮに切替え、ユーザに対してサービスを提供可能にする（図２ステップＳ７，Ｓ８）。
【００１９】
正常にサービスを提供されなかった場合とは、例えばオペレータ間でローミングサービス契約外による該当サービスがＲｅｊｅｃｔされた場合、または移動通信網側の特別・特殊な仕様によって移動機１側の仕様との不整合［３ＧＰＰ（３ｒｄ  Ｇｅｎｅｒａｔｉｏｎ  Ｐａｒｔｎｅｒｓｈｉｐ  Ｐｒｏｊｅｃｔ）仕様におけるＶｅｒｓｉｏｎ差分等も含む］による接続不可、もしくは移動機１側の問題や移動通信網側の問題によってユーザが意図するサービスを長期間及び一時的に受けられない状態に陥った場合である。
【００２０】
図３は本発明の一実施例におけるローミング環境を示す図であり、図４（ａ）は本発明の一実施例におけるローミングサービス契約状況を示す図であり、図４（ｂ）は本発明の一実施例における接続可能状態を示す図である。
【００２１】
図３においては、移動機１が位置するローミング環境を示している。移動機１はＰＬＭＮ−Ａ（Ｈｏｍｅ  ＰＬＭＮ）と主契約を締結しているが、現在、移動機１がいる環境はＰＬＭＮ−Ａのサービスエリア外で、ＰＬＭＮ−Ｂ，Ｃ，Ｄのローミングサービスが受けられるエリア内にいる。
【００２２】
図４（ａ）はＰＬＭＮ−ＡとＰＬＭＮ−Ｂ，Ｃ，Ｄとの間で締結されているローミングサービス契約状況を示している。図４（ｂ）は移動機１の仕様不整合（３ＧＰＰ仕様におけるＶｅｒｓｉｏｎ差分等含む）、移動機１側の問題もしくは移動通信網側の問題［一次的なトラフィック（Ｔｒａｆｆｉｃ）集中による障害、アクセスクラス（Ａｃｃｅｓｓ  Ｃｌａｓｓ）規制等も含む］によって、その時点での接続可能／不可能状態を示している。但し、オペレータ（ＰＬＭＮ）間のローミングサービス契約は、不可なく全てのサービスで可能として締結されているものとする。
【００２３】
これら図１〜図４を参照して本発明の一実施例による移動機１（移動通信システム、携帯電話装置）の動作について説明する。
【００２４】
移動機１では、アンテナ１１と無線部１２とによって移動通信網からの送信される波を検出し、ＢＢ部１３で信号の復調処理を行い、制御処理部１４で位置登録／Ｃａｍｐ  Ｏｎ可能Ｃｅｌｌ判定を行い、Ｃａｍｐ  Ｏｎ可能Ｃｅｌｌであれば、ＢＢ部１３と、無線部１２と、アンテナ１１とを介して正常に位置登録及び待ち受け（Ｎｏｒｍａｌ    Ｃａｍｐ  Ｏｎ）を行う。
【００２５】
表示部１５には、待ち受け（Ｎｏｒｍａｌ  Ｃａｍｐ  Ｏｎ）状態を示すアイコン（アンテナバー等）及び待ち受け（Ｎｏｒｍａｌ  Ｃａｍｐ  Ｏｎ）を行っているＰＬＭＮ情報（サービス提供オペレータ名等）を表示する。この状態で、移動機１は操作部１６にてサービスの発着呼動作を可能とする。また、移動機１では、マニュアルにてＰＬＭＮ選択等も可能としている。
【００２６】
図３に示すローミング環境下で、図４（ａ）に示すローミングサービス契約状況にある場合、ＰＬＭＮ−Ｂにて待ち受け（Ｎｏｒｍａｌ  Ｃａｍｐ  Ｏｎ）を行っている際に、音声（Ｖｏｉｃｅ）、Ｐａｃｋｅｔ（Ｂｒｏｗｓｅｒ）、ＩＭＳ（Ｉｎｓｔａｎｔ  Ｍｅｓｓａｇｅ  Ｓｅｒｖｉｃｅ）（ＰＴＴ：Ｐｕｓｈ  Ｔｏ  Ｔａｌｋ）呼等は正常にサービス授受可となっている。この場合には、特に、ＰＬＭＮ検索及び切替え等の動作の必要がない。
【００２７】
ビデオ（Ｖｉｄｅｏ）呼はサービス授受不可（契約外、仕様不整合）のため、移動通信網からＲｅｊｅｃｔもしくはＤｉｓｃｏｎｎｅｃｔ等でＣａｕｓｅ付きメッセージにてサービス不可を受信する。この場合、移動機１はサービス不可のメッセージを受信したことでローミングサービス契約外または移動機１と移動通信網との間の仕様不整合があると判断し（図２ステップＳ５）、即座にＰＬＭＮ検索を行い（図２ステップＳ７）、ＰＬＭＮ切替えを実行する（図２ステップＳ８）。
【００２８】
移動通信網がサービス不可を通知した際のＣａｕｓｅ値としては、３ＧＰＰ  ＴＳ２４．００８（非特許文献１）に記載があり、Ｃａｕｓｅ値によって一時的なサービス不可なのか、長期または半永久的なサービス不可なのかを判断することができる。また、移動機１はローミングサービス契約外または移動機１と移動通信網との間の仕様不整合があると判断した時に、即座にＰＬＭＮ検索を行うことなく、連続Ｎ回同じサービス不可のメッセージを受信した時にＰＬＭＮ検索を行うようにしてもよい。
【００２９】
移動機１は、表示部１５及び操作部１６にて、ユーザのビデオ（Ｖｉｄｅｏ）呼継続実施希望を行い、継続希望が選択された場合に限り、即座にＰＬＭＮ検索を行い、ＰＬＭＮ切替えを行う。
【００３０】
上記のＰＬＭＮ切替えの実施後のＰＬＭＮにおいても、ビデオ（Ｖｉｄｅｏ）呼が失敗するのであれば、移動機１はさらにＰＬＭＮ検索を行い、ＰＬＭＮを検出することができれば（図２ステップＳ７）、ＰＬＭＮ切替えを行う（図２ステップＳ８）。ＰＬＭＮを検出することができなければ、移動機１は元のＰＬＭＮに戻って待ち受け（Ｎｏｒｍａｌ  Ｃａｍｐ  Ｏｎ）を行い、その旨とビデオ（Ｖｉｄｅｏ）呼不可であることを表示部１５に表示してもよい。
【００３１】
移動機１は、ＰＬＭＮ−Ｃ，Ｄにて待ち受け（Ｎｏｒｍａｌ  Ｃａｍｐ  Ｏｎ）状態にある場合も、サービス授受可否に合わせて、上記と同様の動作を行う。      
【００３２】
図３に示すローミング環境下で、図４（ｂ）に示す接続可能／不可能状態にある場合、移動機１はＰＬＭＮ−Ｂにて待ち受け（Ｎｏｒｍａｌ  Ｃａｍｐ  Ｏｎ）状態にある場合、音声（Ｖｏｉｃｅ）、ビデオ（Ｖｉｄｅｏ）呼が正常にサービス授受可であり、特にＰＬＭＮ検索や切替え等の動作を行う必要がない。
【００３３】
移動機１はＰａｃｋｅｔ（Ｂｒｏｗｓｅｒ）呼が何らかの理由でＮＧの場合（移動通信網からＲｅｊｅｃｔ等を受信せずにＮＧとなる場合、メッセージ不達、未受信、同期外れ等）、特定のサービス呼でカウンタにて予め決められた連続失敗回数（例えば、３回）未満であれば（図２ステップＳ６）、ＰＬＭＮ検索及び切替え等の動作を行わず、ステップＳ１に戻って現在のＰＬＭＮにて待ち受け（Ｎｏｒｍａｌ  Ｃａｍｐ  Ｏｎ）を行う。
【００３４】
移動機１は特定のサービス呼でカウンタにて予め決められた連続失敗回数（例えば、３回）以上失敗した場合（図２ステップＳ６）、上記と同様に、ＰＬＭＮ切替えを行う（図２ステップＳ７，Ｓ８）。
【００３５】
移動機１では、ＰＬＭＮ切替えトリガを連続Ｎ回失敗としたが、例えば過去３０回のＯＫ／ＮＧ確率において確率５０％未満となった場合に、移動通信網が不安定であるとして、上記と同様に、ＰＬＭＮ検索及び切替えを自動で行うようにしてもよい。
【００３６】
このように、本実施例では、移動機１がある任意のＰＬＭＮにて待ち受け（Ｎｏｒｍａｌ  Ｃａｍｐ  Ｏｎ）状態である場合、そのＰＬＭＮにて一部または全部のサービス授受不可状態を検出した時に、サービス授受可能となるようにＰＬＭＮ検索及び切替えを自動で行うことで、サービス不可状態をなくす、もしくは軽減させることができる。また、本実施例では、ユーザによるＰＬＭＮ切替え操作も不要となり、利便性を向上させることができる。
【００３７】
尚、本発明では、ＰＬＭＮ−Ａ（Ｈｏｍｅ  ＰＬＭＮ）にて待ち受け（Ｎｏｒｍａｌ  Ｃａｍｐ  Ｏｎ）状態であっても、移動通信網側の障害等によって適正なサービスを授受できない場合、上記と同様に、ＰＬＭＮ切替えを行ってもよい。
【００３８】
本発明では、サービスＮＧ時にＰＬＭＮ切替えを行ってサービスの提供を可能としているが、サービス利用完了後に元のＰＬＭＮへの再度の切替えを自動もしくはユーザの意思確認にて行うようにしてもよい。
【００３９】
本発明では、ローミング先のＰＬＭＮに滞在する場合、過去のＰＬＭＮ切替えの履歴、もしくは履歴よりＰＬＭＮに対するサービス授受可能マトリックスを移動機１内部にて自動で作成し、あるＰＬＭＮにて待ち受け（Ｎｏｒｍａｌ  Ｃａｍｐ  Ｏｎ）中に特定サービスでＮＧとなる場合、特定サービスのユーザトリガによってサービスを開始する前にＰＬＭＮ検索を自動で行い、ＰＬＭＮ切替えを自動で実施した上で、サービス開始を行うようにしてもよい。
【００４０】
本発明では、待ち受け（Ｎｏｒｍａｌ  Ｃａｍｐ  Ｏｎ）優先のＰＬＭＮを指定し、特定サービス開始によるＰＬＭＮ切替えを自動で行った後、サービス終了後に待ち受け優先のＰＬＭＮへの再度の切替えを自動で行ってもよい。
【００４１】
本発明では、待ち受け（Ｎｏｒｍａｌ  Ｃａｍｐ  Ｏｎ）だけは可能であるが、全てのサービス授受が不可な場合等において、そのＰＬＭＮをＦｏｒｂｉｄｄｅｎ  ＰＬＭＮとして移動機１もしくはＵＳＩＭ（Ｕｎｉｖｅｒｓａｌ  Ｓｕｂｓｃｒｉｂｅｒ  Ｉｄｅｎｔｉｔｙ  Ｍｏｄｕｌｅ）内に保持し、以後、位置登録／待ち受け（Ｎｏｒｍａｌ  Ｃａｍｐ  Ｏｎ）に行かないようにする機能を装備させてもよい。
【００４２】
本発明では、サービス不可状態の検出ではなく、単なる待ち受け（Ｎｏｒｍａｌ  Ｃａｍｐ  Ｏｎ）状態においても異常状態になる場合（例えば、リセット・フリーズが頻発する等）も、上記と同様に、ＰＬＭＮ切替えを行う機能を装備させてもよい。
【図面の簡単な説明】
【００４３】
【図１】本発明の一実施例による携帯電話装置の構成を示すブロック図である。
【図２】本発明の一実施例による携帯電話装置の動作を示すフローチャートである。
【図３】本発明の一実施例におけるローミング環境を示す図である。
【図４】（ａ）は本発明の一実施例におけるローミングサービス契約状況を示す図、（ｂ）は本発明の一実施例における接続可能状態を示す図である。
【図５】従来の携帯電話装置の動作を示すフローチャートである。
【符号の説明】
【００４４】
１  移動機
１１  アンテナ
１２  無線部
１３  ＢＢ部
１４  制御処理部
１５  表示部
１６  操作部
【図１】
2008109323.tif 000003
【図２】
2008109323.tif 000004
【図３】
2008109323.tif 000005
【図４】
2008109323.tif 000006
【図５】
2008109323.tif 000007